(57)【要約】      （修正有）【課題】足踏み機として利用でき、移動ストロークを調整できる楕円運動機を提供する。【解決手段】支持フレーム１１を持つ基部１０と、支持フレームに設けられている枢設軸１２と、枢設軸に接続する一対のハンドル４０と、一対の足踏みロッド５０とを備える。一対のクランク３０は、枢設軸を経由して支持フレーム１１に設けられ、それぞれ一本の枢設ロッド３３を持ち、枢設軸から遠く離れる箇所に設けられている。足踏みロッド５０の前方５１はそれぞれ一本のレバー５２で枢設ロッド３３に接続し、足踏みロッド５０の中間部位５５はハンドル４０に接続する。ユーザーがハンドル４０を握り、クランク３０を経由して足踏みロッド５０又は足踏み板５４を踏み、足踏み機の作用を発揮する。足踏みの楕円のストロークの大小は、ハンドル４０の振れ幅により決められる。【選択図】図１
0003138276.tif 000002
【実用新案登録請求の範囲】
【請求項１】
支持フレーム（１１）を持つ基部（１０）と、
支持フレーム（１１）に設けられている枢設軸（１２）と、
枢設軸（１２）に接続する一対のハンドル（４０）と、
一対の足踏みロッド（５０）とからなり、
一対のクランク（３０）は枢設軸（２１）を経由して支持フレーム（１１）に設けられ、それぞれ一本の枢設ロッド（３３）を持ち、枢設軸（２１）から遠く離れる箇所に設けられ、足踏みロッド（５０）の前方（５１）はそれぞれ一本のレバー（５２）でクランク（３０）の枢設ロッド（３３）に接続し、足踏みロッド（５０）の中間部位（５５）がハンドル（４０）に接続することを特徴とする楕円運動機。
【請求項２】
クランク（３０）は、それぞれ一本のシャフト（３１）を持ち、枢設軸（２１）と枢設ロッド（３３）から遠く離れる箇所に設けられ、ハンドル（４０）に接続されることを特徴とする請求項１記載の楕円運動機。
【請求項３】
連動レバー（６４）は、調整可能にハンドル（４０）とクランク（３０）の枢設ロッド（３３）との間に設けられていることを特徴とする請求項２記載の楕円運動機。
【請求項４】
足踏み板（５６）は、枢設軸（５４）を経由して足踏みロッド（５０）の中間部位（５５）に設けられ、レバー（５７）でハンドル（４０）の底部を足踏み板（５６）に接続することを特徴とする請求項１記載の楕円運動機。
【考案の詳細な説明】
【技術分野】
【０００１】
本考案は、ストロークが調整できる楕円運動機に関する。
【背景技術】
【０００２】
従来から、既存の楕円運動機は、楕円運動機だけとして、足踏み機とされない。また、それらは、固定のストロークのため、移動ストローク長を調整することができない。
【考案の開示】
【考案が解決しようとする課題】
【０００３】
そのため、運動の機能はあまりに制限されている、解決しなければならない。
したがって、本考案の主な目的は、足踏み機として利用でき、移動のストロークも調整できる楕円運動機を提供することにある。
【課題を解決するための手段】
【０００４】
本考案は、支持フレームを持つ基部と、支持フレームに設けられている枢設軸と、枢設軸に接続する一対のハンドルと、一対の足踏みロッドとからなり、一対のクランクは枢設軸を経由して支持フレームに設けられ、それぞれ一本の枢設ロッドを持ち、枢設軸から遠く離れる箇所に設けられ、足踏みロッドの前方はそれぞれ一本のレバーでクランクの枢設ロッドに接続し、足踏みロッドの中間部位がハンドルに接続することを特徴とする。
【考案を実施するための最良の形態】
【０００５】
本考案の目的、特徴を遂げて、採用される技術手段及び効果などを理解するために、以下、本考案のさらに具体的な実施例について図面に基づいてあわせて詳しく説明する。
まずは図１から図５を参照する。本考案の一実施例による楕円運動機は、基部１０を含み、支持フレーム１１を持つ。枢設軸１２は、支持フレーム１１の後方１３に設ける。回転ホイール２０は、枢設軸２１を経由して支持フレーム１１の中間１４に設ける。回転体２２は、枢設軸２３を経由して支持フレーム１１の中間１４に取り付けられる。他動ホイール２４は、枢設軸２３に締め付けられ、ベルトなどの連結ユニット２５で回転ホイール２０に連結される。それで、回転ホイール２０と枢設軸２１に抵抗力を施す。電磁ブレーキやハイドロリックや気圧などの他の抵抗力の装置も使えて、回転ホイール２０と枢設軸２１に抵抗力を施す。
【０００６】
一対のクランク３０は、枢設軸２１に締め付けられ、それぞれ一本のシャフトロッド３１を持ち、枢設軸２１から遠く離れる。一対のハンドル４０は、中間部位４１が枢設軸１２に接続され、それぞれ握り柄４２を具有し、ユーザがそれらを握る。一対の足踏みロッド５０は、前方５１がレバー５２でクランク３０のシャフトロッド３１に接続される。その後方５３は、レバー１８及び枢設軸１７で基部１０の後方１５における竪形ロッド１６に接続され、それぞれ枢設軸５４を経由して中間部位５５に足踏み板５６を枢設し、ユーザを支持することができる。各ハンドル４０の底部４３は、それぞれ別のレバー５７及び一端の枢設軸５８を経由して足踏み板５６に接続される。それで、足踏み板５６を適当な角度まで回す。
【０００７】
ユーザは、ハンドル４０を握り、位置決めをするときに、クランク３０を経由して足踏みロッド５０又は足踏み板５４を踏み、足踏み機の作用を発揮する。それに対して、ユーザは、ハンドル４０を振る場合、踏みロッド５０又は足踏み板５４を踏み、楕円運動機の作用を果たす。踏みロッド５０又は足踏み板５４を踏み、楕円運動機としての楕円のストロークの大小はハンドル４０の振れ幅により決められる。また、一本の延伸ロッド３２は、各シャフト３１に締められ、それぞれ一本の枢設ロッド３３を持ち、枢設軸２１及びシャフト３１から遠く離れる箇所に設けられ、レバー５２に接続される。
【０００８】
二本の連動ロッド６４は、ハンドル４０及びクランク３０を一体に繋ぐ。連動ロッド６４は、一端６５がクランク３０のシャフト３１に接続され、別端６６が固定ユニット又は枢設軸６７を経由して調整できるようにハンドル４０の中間部位４１に接続する。枢設軸６７は、枢設軸１２から遠く離れる箇所に設置される。ハンドル４０は、中間部位４１に一つ又は一つ以上の孔４５が設けられているので、調整できるように枢設軸６７に接続することができる。さらに、ハンドル４０とクランク３０との間、足踏みロッド５０とさえも、それらの間の連動を調整することにより、足踏みロッド５０の移動ストローク長を調整することができる。
なお、図６から図８は、本考案の一実施例による楕円運動機を示し、足踏みのストローク長の大、中、小にそれぞれ設定した場合を示している。
【図面の簡単な説明】
【０００９】
【図１】本考案の一実施例による楕円運動機を示す斜視図である。
【図２】本考案の一実施例による楕円運動機を示す斜視図である。
【図３】本考案の一実施例による楕円運動機の要部を示す分解斜視図である。
【図４】本考案の一実施例による楕円運動機の要部を示す分解斜視図である。
【図５】本考案の一実施例による楕円運動機を示す平面図である。
【図６】本考案の一実施例による楕円運動機を示す平面図である。
【図７】本考案の一実施例による楕円運動機を示す平面図である。
【図８】本考案の一実施例による楕円運動機を示す平面図である。
【符号の説明】
【００１０】
１０：基部、１１：支持フレーム、１２：枢設軸、１３：後方、１４：中間部位、１５：後方、１６：竪形ロッド、２０：回転ホイール、２１：枢設軸、２２：回転体、２３：枢設軸、２４：他動ホイール、２５：連結ユニット、２６：フライホイール、２７：枢設軸、２８：連結ユニット、３０：クランク、３１：シャフトロッド、３２：延伸ロッド、３３：枢設ロッド、４０：ハンドル、４１：中間部位、４２：握り柄、４３：底部、４５：孔、５０：足踏みロッド、５１：前方、５２：レバー、５５：中間部位、５６：足踏み板、５７：レバー、５８：枢設軸、６１：枢設軸、６２：クランク、６３：シャフトロッド、６４：連動ロッド、６５：一端、６６：別端、６７：枢設軸
【図１】
0003138276.tif 000003
【図２】
0003138276.tif 000004
【図３】
0003138276.tif 000005
【図４】
0003138276.tif 000006
【図５】
0003138276.tif 000007
【図６】
0003138276.tif 000008
【図７】
0003138276.tif 000009
【図８】
0003138276.tif 000010